(57)【要約】【課題】ズーミングされたコンテンツ全体もしくはオブジェクトのズーム表示状態から各種の評価値情報をそれぞれ読み取ることができるコンテンツ閲覧システムおよびプログラムを提供する。【解決手段】コンテンツ全体もしくはオブジェクトに関する各種評価を表す評価値情報を格納する評価値情報格納手段と、ズーム対象として選択されたコンテンツ全体もしくはオブジェクトのズーム表示状態を、選択されたコンテンツ全体もしくはオブジェクトに関わる評価値情報格納手段に格納されている評価値情報に従って制御するズーム表示制御手段と、を備える。これにより、ズーミングされたコンテンツ全体もしくはオブジェクトのズーム表示状態から各種の評価値情報をそれぞれ読み取ることができる。【選択図】        図５
2008027001.tif 000002
【特許請求の範囲】
【請求項１】
各種オブジェクトから構成されているコンテンツ全体もしくは前記各オブジェクトに対する閲覧者のズーム操作内容に従って、前記コンテンツ全体もしくは前記オブジェクトの表示形態を連続的に変化させて表示部に表示させるコンテンツ閲覧システムにおいて、
前記コンテンツ全体もしくは前記オブジェクトに関する各種評価を表す評価値情報を格納する評価値情報格納手段と、
ズーム対象として選択された前記コンテンツ全体もしくは前記オブジェクトのズーム表示状態を、選択された前記コンテンツ全体もしくは前記オブジェクトに関わる前記評価値情報格納手段に格納されている前記評価値情報に従って制御するズーム表示制御手段と、
を備えることを特徴とするコンテンツ閲覧システム。
【請求項２】
前記ズーム表示制御手段は、前記コンテンツ全体もしくは前記オブジェクトのズーム表示状態に対して前記コンテンツ全体もしくは前記オブジェクトに含まれる要素の項目数が関連付けられている場合、前記評価値情報の値に応じて前記コンテンツ全体もしくは前記オブジェクトに含まれる要素の項目数を変化させることにより、前記コンテンツ全体もしくは前記オブジェクトのズーム表示状態を制御する、
ことを特徴とする請求項１記載のコンテンツ閲覧システム。
【請求項３】
前記ズーム表示制御手段は、前記コンテンツ全体もしくは前記オブジェクトのズーム表示状態に対して前記コンテンツ全体もしくは前記オブジェクトに含まれるテキストのフォントサイズが関連付けられている場合、前記評価値情報の値に応じて前記コンテンツ全体もしくは前記オブジェクトに含まれるテキストのフォントサイズを変化させることにより、前記コンテンツ全体もしくは前記オブジェクトのズーム表示状態を制御する、
ことを特徴とする請求項１記載のコンテンツ閲覧システム。
【請求項４】
前記ズーム表示制御手段は、前記コンテンツ全体もしくは前記オブジェクトのズーム表示状態に対して前記コンテンツ全体もしくは前記オブジェクトの内容の詳細度が関連付けられている場合、前記評価値情報の値に応じて前記コンテンツ全体もしくは前記オブジェクトの内容の詳細度を変化させることにより、前記コンテンツ全体もしくは前記オブジェクトのズーム表示状態を制御する、
ことを特徴とする請求項１記載のコンテンツ閲覧システム。
【請求項５】
前記ズーム表示制御手段は、前記コンテンツ全体もしくは前記オブジェクトのズーム表示状態に対して前記コンテンツ全体もしくは前記オブジェクトに含まれる画像サイズが関連付けられている場合、前記評価値情報の値に応じて前記コンテンツ全体もしくは前記オブジェクトに含まれる画像サイズを変化させることにより、前記コンテンツ全体もしくは前記オブジェクトのズーム表示状態を制御する、
ことを特徴とする請求項１記載のコンテンツ閲覧システム。
【請求項６】
前記コンテンツ全体もしくは前記オブジェクトに関わる前記評価値情報が複数ある場合、前記コンテンツ全体もしくは前記オブジェクトのズーム表示状態に関連付ける前記評価値情報を選択可能な評価値種別選択手段を備える、
ことを特徴とする請求項１記載のコンテンツ閲覧システム。
【請求項７】
各種オブジェクトから構成されているコンテンツ全体もしくは前記各オブジェクトに対する閲覧者のズーム操作内容に従って、前記コンテンツ全体もしくは前記オブジェクトの表示形態を連続的に変化させて表示部に表示させる処理をコンピュータに実行させるプログラムであって、
前記コンテンツ全体もしくは前記オブジェクトに関する各種評価を表す評価値情報を格納する評価値情報格納機能と、
ズーム対象として選択された前記コンテンツ全体もしくは前記オブジェクトのズーム表示状態を、選択された前記コンテンツ全体もしくは前記オブジェクトに関わる前記評価値情報に従って制御するズーム表示制御機能と、
を前記コンピュータに実行させることを特徴とするプログラム。
【請求項８】
前記ズーム表示制御機能は、前記コンテンツ全体もしくは前記オブジェクトのズーム表示状態に対して前記コンテンツ全体もしくは前記オブジェクトに含まれる要素の項目数が関連付けられている場合、前記評価値情報の値に応じて前記コンテンツ全体もしくは前記オブジェクトに含まれる要素の項目数を変化させることにより、前記コンテンツ全体もしくは前記オブジェクトのズーム表示状態を制御する、
ことを特徴とする請求項７記載のプログラム。
【請求項９】
前記ズーム表示制御機能は、前記コンテンツ全体もしくは前記オブジェクトのズーム表示状態に対して前記コンテンツ全体もしくは前記オブジェクトに含まれるテキストのフォントサイズが関連付けられている場合、前記評価値情報の値に応じて前記コンテンツ全体もしくは前記オブジェクトに含まれるテキストのフォントサイズを変化させることにより、前記コンテンツ全体もしくは前記オブジェクトのズーム表示状態を制御する、
ことを特徴とする請求項７記載のプログラム。
【請求項１０】
前記ズーム表示制御機能は、前記コンテンツ全体もしくは前記オブジェクトのズーム表示状態に対して前記コンテンツ全体もしくは前記オブジェクトの内容の詳細度が関連付けられている場合、前記評価値情報の値に応じて前記コンテンツ全体もしくは前記オブジェクトの内容の詳細度を変化させることにより、前記コンテンツ全体もしくは前記オブジェクトのズーム表示状態を制御する、
ことを特徴とする請求項７記載のプログラム。
【請求項１１】
前記ズーム表示制御機能は、前記コンテンツ全体もしくは前記オブジェクトのズーム表示状態に対して前記コンテンツ全体もしくは前記オブジェクトに含まれる画像サイズが関連付けられている場合、前記評価値情報の値に応じて前記コンテンツ全体もしくは前記オブジェクトに含まれる画像サイズを変化させることにより、前記コンテンツ全体もしくは前記オブジェクトのズーム表示状態を制御する、
ことを特徴とする請求項７記載のプログラム。
【請求項１２】
前記コンテンツ全体もしくは前記オブジェクトに関わる前記評価値情報が複数ある場合、前記コンテンツ全体もしくは前記オブジェクトのズーム表示状態に関連付ける前記評価値情報を選択可能な評価値種別選択機能を前記コンピュータに実行させる、
ことを特徴とする請求項７記載のプログラム。
【発明の詳細な説明】
【技術分野】
【０００１】
本発明は、各種オブジェクトから構成されているコンテンツ全体もしくは前記各オブジェクトに対する閲覧者のズーム操作内容に従って、前記コンテンツ全体もしくは前記オブジェクトの表示形態を連続的に変化させて表示部に表示させるコンテンツ閲覧システムおよびプログラムに関する。
【背景技術】
【０００２】
今日、カメラ付き携帯電話やデジタルビデオカメラ等の普及、パソコンの性能向上、ネットワークの高速化に従って、テキスト以外の静止／動画像、音声等のマルチメディア情報をＰＣ（Personal Computer）に取り込み、Ｗｅｂドキュメント環境上で利用、送受信、共有することが一般的になってきており、その情報量も増大している。Ｗｅｂの閲覧者がこれらネットワーク上の膨大な情報を有効活用するためには、自らの利用目的に沿った情報（コンテンツ）を効率的に検索できるのが重要であるし、閲覧状況や好みに応じて表示する情報量や利用メディアの種類を制御できればより望ましい。
【０００３】
コンテンツを閲覧する場合、所望の情報に効率的にアクセスできることは最も基本的な要求の一つである。そのためには、コンテンツ全体の概要と細部の詳細の関係が分かりやすいことが重要となる。例えば、検索結果一覧画面において、同時に個別の結果項目内容も閲覧できれば、検索効率の向上が期待できる。
【０００４】
また、なるべく閲覧者の目的・好みや閲覧状況に適した形態での柔軟な情報表示がなされることが要求される。例えば、出張報告の閲覧では、報告者の上司は出張先での会議議事録を、経理担当者は利用交通機関や交通費をそれぞれ重点的に閲覧したいだろうし、また、デスクトップＰＣ上では詳細なテキスト情報を画像付で見たいが、携帯端末上ではテキストの概略のみが望ましい、などということはあり得る。その場合、テキストの量や画像のサイズ、両者のバランス等を閲覧者が柔軟に制御できることが望ましい。
【０００５】
一方、現在のＷｅｂドキュメント環境での基本的な操作インタフェースはスクロールとアンカークリックである。これらを適宜利用することで、大きな（面積の広い）コンテンツを一画面上に展開したり、複数の関連するページをハイパーリンクで結んでアンカークリックで移動して閲覧することができるようになり、コンテンツの閲覧効率を高めている。
【０００６】
しかしながら、１ページ内に表示する情報量が大きくなると、たとえスクロールを利用しても一覧性が悪くなるし、逆にページを細分化してリンクで結びつけると、リンク先を閲覧する際に別のページに飛ぶので、閲覧のコンテキストが失われてしまう。さらに、リンクが重なると元のページに戻るのが難しくなるばかりか、現在着目している部分が全体の中でどのように位置づけられているのかが見え難くなる。
【０００７】
以上のように、閲覧者の目的・好みや閲覧状況に応じて表示形態を柔軟に制御することも現在のＷｅｂ環境では難しい。一般的なＷｅｂブラウズ環境でこれらを実現するには、これらを予め想定しておいて、それぞれに対応したページを複数作成する必要があり、ページ構成が煩雑になってしまう。
【０００８】
そこで、近年においては、画面上で表示されているものの詳細度を連続的に制御するための操作インタフェースであるＺＵＩ（Zooming User Interface）が、各種研究開発されている。
【０００９】
非特許文献１ないし３は、２次元的に配置されたドキュメントの各ページやイメージから１つを選択してズームインすると、周辺の表示を残したままそれだけが大きく表示される、というものである。
【００１０】
一方、非特許文献４、５は、対象オブジェクトの表現方式の候補がメニューで提示され、ユーザが選択した表現法において適当な詳細度で表示できる程度に自動的にズームインが行われる、というものである。
【００１１】
他にも、非特許文献６では複数視点でのズーミングが提案され、非特許文献７ではマウスカーソルの移動速度に応じたズーミングが提案されている。
【００１２】
これらの技術によれば、１ページの中で全体俯瞰と細部拡大を同時表示することができ、閲覧効果の向上に寄与できる。
【００１３】
【非特許文献１】Perlin, K. and Fox, D.: Pad: An alternative approach to the computer interface, Proceedings of SIGGRAPH'93, pages 57--64 （1993）.
【非特許文献２】Bederson, B.B. and Hollan, J.D.: Pad++: A Zooming Graphical Interface for Exploring Alternate Interface Physics, Proceedings of UIST'94, pages 17--26 （1994）.
【非特許文献３】Bederson, B.B., Meyer, J. and Good, L.: Jazz: An Extensible Zoomable User Interface Graphics Toolkit in Java, Proceedings of UIST'00, pages 171--180 （2000）.
【非特許文献４】Holmquista, L. E. and Ahlbergb, C.: Flip Zooming: A Practical Focus+Context Approach to Visualizing Large Data Sets, Proc. HCI International '97, pages 763--766 （1997）.
【非特許文献５】Woodruff, A., Landay, J. and Stonebraker, M.: Goal-Directed Zoom, Proceedings of CHI'98, pages 305--306 （1998）.
【非特許文献６】Sarkar, M., Snibbe, S.S., Tversky, O.J. and Reiss, S.P., M.: Stretching the Rubber Sheet: A Metaphor for Viewing Large Layouts on Small Screens, Proceedings of UIST'93, pages 81--91 （1993）.
【非特許文献７】Igarashi, T and Hinckley, K.: Speed-dependent Automatic Zooming for Efficient Document Navigation, WISS 2000，pages （2000）.
【発明の開示】
【発明が解決しようとする課題】
【００１４】
しかしながら、上述したような技術は、基本的にコンテンツを表示するアプリケーション側にズーミング機能を持たせるという位置づけで開発されている。例えば、意味的に上位のテキストをズームインすると下位の詳細テキストが現れるとか、相互に関連あるテキストと画像の表示バランスを連動して制御する、等を実現するには、ズーム操作の対象となるコンテンツの構造情報を含めて、ズーム挙動プログラムを予めアプリケーションに作り込んでおかねばならなかった。そのため、アプリケーションが想定した構造を持つコンテンツ以外の任意のコンテンツをズーミングすることは一般にできなかった。よって、多様な構造をもつコンテンツが含まれるＷｅｂ環境上で汎用的にズーム操作を行う目的にはこれらは不適当であった。
【００１５】
そこで、本出願人は、各種オブジェクトから構成されるコンテンツにズーム操作を施して、オブジェクトの表示状態を連続的に変化させるコンテンツ閲覧装置、方法であり、かつ、コンテンツ全体もしくはコンテンツを構成する個々のオブジェクト毎にズーム操作可能なコンテンツ閲覧装置を、特願2005-044515等において提案した。これらにおいては、ズーム操作対象のオブジェクトとして、テキスト、静止画像、動画像、音声の各メディアオブジェクトを取り上げ、フォントサイズや画像サイズ、再生時間等をズーム操作により連続的に制御している。
【００１６】
しかしながら、特願2005-044515において提案したコンテンツ閲覧装置等では、まだ完全とはいえず、いまだ解決されねばならない課題が存在する。
【００１７】
ここで、図４は、ある検索キーワードを基に図書館内の文献を検索した際における各文献についてのランキングスコア、人気度、難易度および出版年を示したものである。ランキングスコアは、例えば、検索キーワードと文献抄録の間の関連の度合いを示す値であり、Ｔｆ／Ｉｄｆ等の方法にて算出され、０．０〜１．０までの値をとるものとする。人気度は、文献の貸出回数を基に自動的に算出しても良いし、図書館利用者の入力した評価値や図書館の司書が判断した値を用いてもよいし、これらを適宜組み合わせて適当な算出方法により算出しても良い。難易度も同様に、利用者や司書の評価値を基に算出した値である。これらは、１．０〜５．０までの値をとるものとする。すなわち、ランキングスコア、人気度、難易度は、何らかの評価値情報として定義可能である。
【００１８】
ここで、図１２は、従来の検索結果全体に対してズームイン／ズームアウト操作を行った結果を示す模式図である。図１２の（ａ）は、図４に示したランキングスコアが大きい順に検索結果を並べた一覧画面であり、各文献のタイトルだけが表示されている。ここで、図１２に示すように、検索結果一覧全体をズーミング操作（ズームイン操作）すると、タイトル以外の項目（著者、出版社）が現れてくる。
【００１９】
つまり、図１２に示すように、従来においては、評価値に関わらずどの文献も均等にズーミングしていたため、所定の評価値（図１２では、ランキングスコア）以外の評価値情報を読み取ることができなかった。
【００２０】
本発明は、上記に鑑みてなされたものであって、ズーミングされたコンテンツ全体もしくはオブジェクトのズーム表示状態から各種の評価値情報をそれぞれ読み取ることができるコンテンツ閲覧システムおよびプログラムを提供することである。
【課題を解決するための手段】
【００２１】
上述した課題を解決し、目的を達成するために、請求項１にかかる発明のコンテンツ閲覧システムは、各種オブジェクトから構成されているコンテンツ全体もしくは前記各オブジェクトに対する閲覧者のズーム操作内容に従って、前記コンテンツ全体もしくは前記オブジェクトの表示形態を連続的に変化させて表示部に表示させるコンテンツ閲覧システムにおいて、前記コンテンツ全体もしくは前記オブジェクトに関する各種評価を表す評価値情報を格納する評価値情報格納手段と、ズーム対象として選択された前記コンテンツ全体もしくは前記オブジェクトのズーム表示状態を、選択された前記コンテンツ全体もしくは前記オブジェクトに関わる前記評価値情報格納手段に格納されている前記評価値情報に従って制御するズーム表示制御手段と、を備える。
【００２２】
また、請求項２にかかる発明は、請求項１記載のコンテンツ閲覧システムにおいて、前記ズーム表示制御手段は、前記コンテンツ全体もしくは前記オブジェクトのズーム表示状態に対して前記コンテンツ全体もしくは前記オブジェクトに含まれる要素の項目数が関連付けられている場合、前記評価値情報の値に応じて前記コンテンツ全体もしくは前記オブジェクトに含まれる要素の項目数を変化させることにより、前記コンテンツ全体もしくは前記オブジェクトのズーム表示状態を制御する。
【００２３】
また、請求項３にかかる発明は、請求項１記載のコンテンツ閲覧システムにおいて、前記ズーム表示制御手段は、前記コンテンツ全体もしくは前記オブジェクトのズーム表示状態に対して前記コンテンツ全体もしくは前記オブジェクトに含まれるテキストのフォントサイズが関連付けられている場合、前記評価値情報の値に応じて前記コンテンツ全体もしくは前記オブジェクトに含まれるテキストのフォントサイズを変化させることにより、前記コンテンツ全体もしくは前記オブジェクトのズーム表示状態を制御する。
【００２４】
また、請求項４にかかる発明は、請求項１記載のコンテンツ閲覧システムにおいて、前記ズーム表示制御手段は、前記コンテンツ全体もしくは前記オブジェクトのズーム表示状態に対して前記コンテンツ全体もしくは前記オブジェクトの内容の詳細度が関連付けられている場合、前記評価値情報の値に応じて前記コンテンツ全体もしくは前記オブジェクトの内容の詳細度を変化させることにより、前記コンテンツ全体もしくは前記オブジェクトのズーム表示状態を制御する。
【００２５】
また、請求項５にかかる発明は、請求項１記載のコンテンツ閲覧システムにおいて、前記ズーム表示制御手段は、前記コンテンツ全体もしくは前記オブジェクトのズーム表示状態に対して前記コンテンツ全体もしくは前記オブジェクトに含まれる画像サイズが関連付けられている場合、前記評価値情報の値に応じて前記コンテンツ全体もしくは前記オブジェクトに含まれる画像サイズを変化させることにより、前記コンテンツ全体もしくは前記オブジェクトのズーム表示状態を制御する。
【００２６】
また、請求項６にかかる発明は、請求項１記載のコンテンツ閲覧システムにおいて、前記コンテンツ全体もしくは前記オブジェクトに関わる前記評価値情報が複数ある場合、前記コンテンツ全体もしくは前記オブジェクトのズーム表示状態に関連付ける前記評価値情報を選択可能な評価値種別選択手段を備える。
【００２７】
また、請求項７にかかる発明のプログラムは、各種オブジェクトから構成されているコンテンツ全体もしくは前記各オブジェクトに対する閲覧者のズーム操作内容に従って、前記コンテンツ全体もしくは前記オブジェクトの表示形態を連続的に変化させて表示部に表示させる処理をコンピュータに実行させるプログラムであって、前記コンテンツ全体もしくは前記オブジェクトに関する各種評価を表す評価値情報を格納する評価値情報格納機能と、ズーム対象として選択された前記コンテンツ全体もしくは前記オブジェクトのズーム表示状態を、選択された前記コンテンツ全体もしくは前記オブジェクトに関わる前記評価値情報に従って制御するズーム表示制御機能と、を前記コンピュータに実行させる。
【００２８】
また、請求項８にかかる発明は、請求項７記載のプログラムにおいて、前記ズーム表示制御機能は、前記コンテンツ全体もしくは前記オブジェクトのズーム表示状態に対して前記コンテンツ全体もしくは前記オブジェクトに含まれる要素の項目数が関連付けられている場合、前記評価値情報の値に応じて前記コンテンツ全体もしくは前記オブジェクトに含まれる要素の項目数を変化させることにより、前記コンテンツ全体もしくは前記オブジェクトのズーム表示状態を制御する。
【００２９】
また、請求項９にかかる発明は、請求項７記載のプログラムにおいて、前記ズーム表示制御機能は、前記コンテンツ全体もしくは前記オブジェクトのズーム表示状態に対して前記コンテンツ全体もしくは前記オブジェクトに含まれるテキストのフォントサイズが関連付けられている場合、前記評価値情報の値に応じて前記コンテンツ全体もしくは前記オブジェクトに含まれるテキストのフォントサイズを変化させることにより、前記コンテンツ全体もしくは前記オブジェクトのズーム表示状態を制御する。
【００３０】
また、請求項１０にかかる発明は、請求項７記載のプログラムにおいて、前記ズーム表示制御機能は、前記コンテンツ全体もしくは前記オブジェクトのズーム表示状態に対して前記コンテンツ全体もしくは前記オブジェクトの内容の詳細度が関連付けられている場合、前記評価値情報の値に応じて前記コンテンツ全体もしくは前記オブジェクトの内容の詳細度を変化させることにより、前記コンテンツ全体もしくは前記オブジェクトのズーム表示状態を制御する。
【００３１】
また、請求項１１にかかる発明は、請求項７記載のプログラムにおいて、前記ズーム表示制御機能は、前記コンテンツ全体もしくは前記オブジェクトのズーム表示状態に対して前記コンテンツ全体もしくは前記オブジェクトに含まれる画像サイズが関連付けられている場合、前記評価値情報の値に応じて前記コンテンツ全体もしくは前記オブジェクトに含まれる画像サイズを変化させることにより、前記コンテンツ全体もしくは前記オブジェクトのズーム表示状態を制御する。
【００３２】
また、請求項１２にかかる発明は、請求項７記載のプログラムにおいて、前記コンテンツ全体もしくは前記オブジェクトに関わる前記評価値情報が複数ある場合、前記コンテンツ全体もしくは前記オブジェクトのズーム表示状態に関連付ける前記評価値情報を選択可能な評価値種別選択機能を前記コンピュータに実行させる。
【発明の効果】
【００３３】
本発明によれば、ズーム対象として選択されたコンテンツ全体もしくはオブジェクトのズーム表示状態を、選択されたコンテンツ全体もしくはオブジェクトに関わる評価値情報に従って制御することにより、ズーミングされたコンテンツ全体もしくはオブジェクトのズーム表示状態から各種の評価値情報をそれぞれ読み取ることができる、という効果を奏する。
【発明を実施するための最良の形態】
【００３４】
以下に添付図面を参照して、この発明にかかるコンテンツ閲覧システムおよびプログラムの最良な実施の形態を詳細に説明する。
【００３５】
［第１の実施の形態］
本発明の第１の実施の形態を図１ないし図８に基づいて説明する。図１は、本発明の第１の実施の形態にかかるコンテンツ閲覧システム１００のシステム構築例を示す模式図である。本実施の形態のコンテンツ閲覧システム１００では、サーバコンピュータ（コンテンツサーバ）ＳにＬＡＮ（Local Area Network）等のネットワークＮを介してクライアントコンピュータ（クライアント）Ｃが複数台接続されたサーバクライアントシステムを想定する。サーバコンピュータＳは、クライアントコンピュータＣのためにサービスを行うコンピュータであり、クライアントコンピュータＣは、ユーザが操作してサービスを受けるコンピュータである。このようなサーバコンピュータＳ及びクライアントコンピュータＣは、一般的なパーソナルコンピュータである。
【００３６】
図２は、一般的又は標準的なパーソナルコンピュータ１のハードウェアの構成図である。パーソナルコンピュータ（以下、コンピュータと略す。）１は、情報処理を行うＣＰＵ（Central Processing Unit）２と、ＢＩＯＳ（Basic Input Output System）等を格納するＲＯＭ（Read Only Memory）３と、情報を処理中に一時的に格納するＲＡＭ（Random Access Memory）４等の一次記憶装置と、アプリケーションプログラムや処理結果等を保存する記憶部であるＨＤＤ（Hard Disk Drive）５等の二次記憶装置と、情報を外部に保管又は配布し若しくは情報（アプリケーションプログラム等）を外部から入手するための記憶媒体であるリムーバブルメディア６のドライブ６ａと、外部の他のコンピュータ１′，…と通信するためのネットワークＮに接続するためのネットワークインタフェース８と、処理経過や処理結果等をユーザに表示する表示部であるディスプレイ９と、操作者がコンピュータ１に命令や情報等を入力するためのキーボード１０やマウス１１等の入力部とから構成され、これらの間のデータ通信をバスコントローラ１２が調停して動作している。
【００３７】
なお、リムーバブルメディア６としては、フレキシブルディスク、ハードディスク、磁気テープ等のような磁気的な記憶媒体、ＭＯのような光磁気的な記憶媒体、ＣＤ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＡＭ、ＤＶＤ−ＲＷ、ＤＶＤ＋ＲＷ等のような光学的な記憶媒体、半導体メモリ等、各種の記憶媒体が適用できる。
【００３８】
データ送信は、コンピュータ１のネットワークインタフェース８へとデータを送ることにより、ネットワークインタフェース８がネットワークＮへと信号を出力する。また、ネットワークインタフェース８が受け取った信号については、ネットワークインタフェース８において必要かどうかの判断がなされ、必要なデータであれば取り込み、不必要であれば破棄する、というような処理が行われる。すなわち、あらゆるデータの送受信は、すべてネットワークインタフェース８を経由して行われることになる。
【００３９】
一般的に、このようなコンピュータ１ではユーザが電源を投入すると、ＣＰＵ２はＲＯＭ３内のＢＩＯＳに含まれるローダーというプログラムを起動させ、ＨＤＤ５からオペレーティングシステム（ＯＳ）という当該コンピュータ１のハードウェアとソフトウェアとを管理するプログラムをＲＡＭ４に読み込む。ＯＳは起動すると、ユーザの操作に応じてアプリケーションプログラムの起動、情報の読み込み、保存等をサポートする。代表的なＯＳとしては、Ｗｉｎｄｏｗｓ（Microsoft Corporationの登録商標）、ＵＮＩＸ（Ｘ/Open, Inc.の登録商標）等が知られている。これらのＯＳ上で走るプログラムをアプリケーションプログラムと呼んでいる。なお、アプリケーションプログラムは、所定のＯＳ上で動作するものに限らず、後述の各種処理の一部の実行をＯＳに肩代わりさせるものであってもよいし、所定のアプリケーションソフトやＯＳなどを構成する一群のプログラムファイルの一部として含まれているものであってもよい。
【００４０】
また、一般的には、コンピュータ１のＨＤＤ５にインストールされるアプリケーションプログラムは、リムーバブルメディア６に記録され、このリムーバブルメディア６に記録されたアプリケーションプログラムがＨＤＤ５にインストールされる。このため、リムーバブルメディア６も、アプリケーションプログラムを記憶する記憶媒体となり得る。さらには、アプリケーションプログラムは、例えばネットワークインタフェース８を介して外部から取り込まれ、ＨＤＤ５にインストールされても良い。
【００４１】
コンピュータ１（サーバコンピュータＳ及びクライアントコンピュータＣ）は、ＯＳ上で動作するアプリケーションプログラムが起動すると、このアプリケーションプログラムに従い、ＣＰＵ２が各種の演算処理を実行して各部を集中的に制御する。
【００４２】
次に、コンピュータ１（サーバコンピュータＳ及びクライアントコンピュータＣ）のＣＰＵ２が実行する各種の演算処理のうち、本実施の形態の特長的な処理について以下に説明する。概略的には、本実施の形態の特長的な処理は、マルチメディアコンテンツ（報告書、議事録、メモ等）において、テキストのみの初期画面からズームインすると、より詳細なテキスト情報や会議参加者の写真、討議状況を撮影した動画像／音声等を閲覧できるようにしたものである。
【００４３】
サーバコンピュータＳ（コンピュータ１）は、アプリケーションプログラムとして、コンテンツ表示プログラムをＨＤＤ５に記憶している。すなわち、サーバコンピュータＳは、ＯＳ上で動作するコンテンツ表示プログラムが起動すると、このコンテンツ表示プログラムに従い、ＣＰＵ２が各部を制御してコンテンツ表示処理を実行する。
【００４４】
一方、クライアントコンピュータＣ（コンピュータ１）は、アプリケーションプログラムとして、コンテンツ閲覧プログラムをＨＤＤ５に記憶している。すなわち、クライアントコンピュータＣは、ＯＳ上で動作するコンテンツ閲覧プログラムが起動すると、このコンテンツ閲覧プログラムに従い、ＣＰＵ２が各部を制御してコンテンツ閲覧処理を実行する。
【００４５】
図３は、サーバコンピュータＳのコンテンツ表示処理及びクライアントコンピュータＣのコンテンツ閲覧処理にかかる機能構成を示すブロック図である。図３に示すように、サーバコンピュータＳは、ＣＰＵ２がＯＳ上で動作するコンテンツ表示プログラムに従うことにより、ズーム対象格納手段２１と、コンテンツ格納手段２２と、評価値情報格納手段２３とを実現する。一方、クライアントコンピュータＣは、ＣＰＵ２がＯＳ上で動作するコンテンツ閲覧プログラムに従うことにより、操作取得手段３１と、表示制御手段３２とを実現する。
【００４６】
まず、サーバコンピュータＳにおけるコンテンツ表示処理について説明する。
【００４７】
ズーム対象格納手段２１は、情報の内容を示すマルチメディアコンテンツを構成してズーム対象となり得る単一のメディアからなるメディアオブジェクト（テキスト、静止画像、動画像、音声等）を格納する手段であり、例えばＨＤＤ５に格納される。このメディアオブジェクト（テキスト、静止画像、動画像、音声等）は、コンテンツを構成するズーミング操作の単位であるズーム対象である。
【００４８】
コンテンツ格納手段２２は、コンテンツの構造とズーム挙動を格納する手段であり、例えば、ＨＤＤ５に格納される。例えば、コンテンツの構造はＨＴＭＬ、ズーム挙動はJavaScript（登録商標）で記述されている。
【００４９】
評価値情報格納手段２３は、コンテンツ全体もしくはオブジェクトに関する各種評価を表す評価値情報を格納する手段である。ここで、図４は、ある検索キーワードを基に図書館内の文献を検索した際における各文献についての評価値情報（ランキングスコア、人気度、難易度および出版年）を示したものである。ここでは、検索結果全体がコンテンツ全体であり、文献がオブジェクトである。ランキングスコアは、例えば、検索キーワードと文献抄録の間の関連の度合いを示す値であり、Ｔｆ／Ｉｄｆ等の方法にて算出され、０．０〜１．０までの値をとるものとする。人気度は、文献の貸出回数を基に自動的に算出しても良いし、図書館利用者の入力した評価値や図書館の司書が判断した値を用いてもよいし、これらを適宜組み合わせて適当な算出方法により算出しても良い。難易度も同様に、利用者や司書の評価値を基に算出した値である。これらは、１．０〜５．０までの値をとるものとする。このような評価値情報（ランキングスコア、人気度、難易度および出版年）は、評価値情報格納手段２３に格納されている。
【００５０】
ここで、Ｗｅｂ環境での閲覧操作やコンテンツの挙動と、コンテンツ作成者の意図について考察する。スクロール操作に関しては、コンテンツ作成者が何らかの意図を反映させる機会や必要性は低く、閲覧者が主にビューワのサイズに依存してスクロールを行う。一方、アンカークリックに関しては、クリックすべき対象（文字列や画像等によって表されるアンカー）とリンク先のＵＲＬについてコンテンツ作成者が明確な意図を持ってこれを記述するが、特に動的な挙動を記述する必要はない。
【００５１】
次に、ズーム操作について考える。ズーム操作に関しては、単純にコンテンツの画面全体をズームイン／アウトさせる程度であれば作成者が指定する事項は特に無いが、きめの細かいズーム操作を実現するには、ズーム操作を施すべき対象や、ズーム操作に従った詳細度や表示メディアの変化のさせ方を、コンテンツ作成者が明示的に意図して記述しておく必要がある。
【００５２】
続いて、クライアントコンピュータＣにおけるコンテンツ閲覧処理について説明する。
【００５３】
操作取得手段３１は、閲覧者の操作内容を取得する手段である。例えば、ズーミングの対象を指定した後、マウス１１をドラッグすることによりズーミング動作が行われる。この場合、マウス１１をディスプレイ９の表示面下方にドラッグした場合はズームイン、マウス１１をディスプレイ９の表示面上方にドラッグした場合はズームアウトである。
【００５４】
表示制御手段３２は、操作取得手段３１から取得した閲覧者の操作内容と、コンテンツ格納手段２２によってＨＤＤ５等に格納されたコンテンツの構造およびズーム挙動と、評価値情報格納手段２３に格納されている評価値情報とに基づいて、ズーム対象格納手段２１によってＨＤＤ５等に格納されたズーム対象となるメディアオブジェクト（テキスト、静止画像、動画像、音声等）を読み出し、ディスプレイ９におけるメディアオブジェクトの表示／非表示や詳細度の設定、メディアオブジェクト表示位置の自動設定、メディアオブジェクト周囲の枠線の表示等を制御する手段である。より詳細には、表示制御手段３２は、コンテンツ格納手段２２に格納されたコンテンツの構造およびズーム挙動と、評価値情報格納手段２３に格納されている評価値情報とに基づいてズーミング表示を行なうことにより、ディスプレイ９に表示するメディアオブジェクトの表示／非表示や詳細度の設定を行なう。
【００５５】
これら操作取得手段３１および表示制御手段３２としては、Ｗｅｂブラウザが適用される。
【００５６】
ここで、操作取得手段３１および表示制御手段３２により実現されるズーミング動作における本実施の形態の特徴であるズーム表示制御手段について例を挙げて以下に説明する。
【００５７】
図５は、検索結果全体に対してズームイン／ズームアウト操作を行った結果を示す模式図である。図５の（ａ）は、図４に示したランキングスコアが大きい順に検索結果を並べた一覧画面であり、各文献のタイトルだけが表示されている。ここで、図５に示すように、検索結果一覧全体をズーミング操作（ズームイン操作）すると、タイトル以外の項目（著者、出版社）が現れてくる（図５の（ｂ），（ｃ）参照）。具体的な操作としては、ズームの対象をマウス１１のクリックにより選択して、マウス１１のホイールを回転させることによりズーミングを行う（手前方向の回転がズームイン、反対方向がズームアウト）。図５の（ａ）に示す検索一覧画面をズームインすると、図５の（ｂ）に示す状態になる。また、図５の（ｂ）に示す検索一覧画面をズームインすると、図５の（ｃ）に示す状態になる。ズームアウトはその逆である。
【００５８】
そして、図５においては、表示制御手段３２は、評価値情報格納手段２３に格納されている評価値情報の１つである人気度を基に、文献ごとのズーム表示状態を制御している。より具体的には、人気度が４．０以上の文献と、３．０以上４．０未満の文献、３．０未満の文献の３種類に大きく分けて制御をしており、人気度が高いものほど、多くの項目数が現れるようにしている。
【００５９】
すなわち、コンテンツ全体もしくはオブジェクトのズーム表示状態に対してコンテンツ全体もしくはオブジェクトに含まれる要素の項目数が関連付けられている場合、評価値情報の値に応じてコンテンツ全体もしくはオブジェクトに含まれる要素の項目数を変化させることにより、コンテンツ全体もしくはオブジェクトのズーム表示状態を制御するようにしたものである。
【００６０】
具体的には、コンテンツ全体もしくはオブジェクトのズーム表示状態に対してコンテンツ全体もしくはオブジェクトに含まれる要素の項目数が関連付けられている場合、評価値情報の値が大きいほど項目数を多くするように、もしくは、評価値情報の値が大きいほど項目数を少なくするように、ズームを制御する。
【００６１】
なお、本実施の形態においては、表示制御手段３２がズーム操作時に図４に示すような評価値情報格納手段２３の評価値情報を参照しつつ表示制御するようにしたが、これに限るものではなく、評価値情報を基にズーム挙動の内容を予め記述しておいて、コンテンツ格納手段２２に含めておいても良い。
【００６２】
図６は、図５と同様に、表示制御手段３２が評価値情報格納手段２３に格納されている評価値情報の１つである人気度を基に検索結果を制御している例である。図６では、人気度が高いものほど、フォントサイズが大きくなるように制御している。なお、ズームインにしたがって、フォントサイズは必ずしも大きくなる必要はなく、人気度が３．０以下の文献（文献Ｆ、文献Ｄ）は逆にフォントサイズが小さくなっている。
【００６３】
すなわち、コンテンツ全体もしくはオブジェクトのズーム表示状態に対してコンテンツ全体もしくはオブジェクトに含まれるテキストのフォントサイズが関連付けられている場合、評価値情報の値に応じてコンテンツ全体もしくはオブジェクトに含まれるテキストのフォントサイズを変化させることにより、コンテンツ全体もしくはオブジェクトのズーム表示状態を制御するようにしたものである。
【００６４】
具体的には、コンテンツ全体もしくはオブジェクトのズーム表示状態に対してコンテンツ全体もしくはオブジェクトに含まれるテキストのフォントサイズが関連付けられている場合、評価値情報の値が大きいほどフォントサイズを大きくするように、もしくは、評価値情報の値が大きいほどフォントサイズを小さくするように、ズームを制御する。
【００６５】
図７は、図５と同様に、表示制御手段３２が評価値情報格納手段２３に格納されている評価値情報の１つである人気度を基に検索結果を制御している例である。図７では、人気度が高いものほど、文献抄録の詳細度が高く（文字数が多く）なるように制御している。
【００６６】
すなわち、コンテンツ全体もしくはオブジェクトのズーム表示状態に対してコンテンツ全体もしくはオブジェクトの内容の詳細度が関連付けられている場合、評価値情報の値に応じてコンテンツ全体もしくはオブジェクトの内容の詳細度を変化させることにより、コンテンツ全体もしくはオブジェクトのズーム表示状態を制御するようにしたものである。
【００６７】
具体的には、コンテンツ全体もしくはオブジェクトのズーム表示状態に対してコンテンツ全体もしくはオブジェクトの内容の詳細度が関連付けられている場合、評価値情報の値が大きいほど詳細度を高くするように、もしくは、評価値情報の値が大きいほど低くするように、ズームを制御する。
【００６８】
図８は、図５と同様に、表示制御手段３２が評価値情報格納手段２３に格納されている評価値情報の１つである人気度を基に検索結果を制御している例である。図８では、人気度が高いものほど、文献の表紙のサムネイル画像が大きくなるように制御している。
【００６９】
これにより、利用者はランキングスコアの大小だけでなく、人気の程度の情報も同じ画面上で把握できるようになる。
【００７０】
すなわち、コンテンツ全体もしくはオブジェクトのズーム表示状態に対してコンテンツ全体もしくはオブジェクトに含まれる画像サイズが関連付けられている場合、評価値情報の値に応じてコンテンツ全体もしくはオブジェクトに含まれる画像サイズを変化させることにより、コンテンツ全体もしくはオブジェクトのズーム表示状態を制御するようにしたものである。
【００７１】
具体的には、コンテンツ全体もしくはオブジェクトのズーム表示状態に対してコンテンツ全体もしくはオブジェクトに含まれる画像サイズが関連付けられている場合、評価値情報の値が大きいほど画像サイズを大きくするように、もしくは、評価値情報の値が大きいほど画像サイズを小さくするように、ズームを制御する。
【００７２】
なお、上述したような各例を組み合わせることも可能である。例えば、評価値が大きくなるほど、項目数をより多く、かつ、フォントサイズもより大きくするとか、内容抄録の文字数をより多く、かつ、サムネイル画像もより大きくするようにしても良い。
【００７３】
このように本実施の形態によれば、ズーム対象として選択されたコンテンツ全体もしくはオブジェクトのズーム表示状態を、選択されたコンテンツ全体もしくはオブジェクトに関わる評価値情報に従って制御することにより、ズーミングされたコンテンツ全体もしくはオブジェクトのズーム表示状態から各種の評価値情報をそれぞれ読み取ることができるようになる。
【００７４】
［第２の実施の形態］
次に、本発明の第２の実施の形態を図９ないし図１１に基づいて説明する。なお、前述した第１の実施の形態と同じ部分は同じ符号で示し説明も省略する。
【００７５】
図９は、図４に示すような評価値情報格納手段２３の評価値情報に基づく検索結果一覧画面であるが、縦軸と横軸の２次元指標からなる表示をしている点で、第１の実施の形態で示した検索結果一覧とは異なっている。図９の縦軸はランキングスコアに基づく順位であり、図９の横軸は文献の出版年を示している。この画面を見れば、検索キーワードと文献抄録の関連度合いだけでなく、出版年も視覚的に容易に把握することができる。
【００７６】
図９に示すように、２次元表示画面の上には「人気度」と「難易度」のいずれか一方の評価値情報を選択するラジオボタンＢがあり、利用者は好みの評価値情報を選択することができる。
【００７７】
図１０は、検索結果全体に対してズームイン／ズームアウト操作を行った結果を示す模式図である。図１０の（ａ）は、図４に示したランキングスコアおよび文献の出版年に従って検索結果をマトリックス状に並べた一覧画面であり、各文献名だけが表示されている。ここで、図１０に示すように、検索結果一覧全体をズーミング操作（ズームイン操作）すると、利用者が選択した指標の評価値情報に基づいてズーミング制御がなされる。図１０では評価値情報として「人気度」が選択されているので、検索結果一覧全体をズーミング操作（ズームイン操作）すると、人気度が高い文献ほど大きなフォントサイズとなるようにズーミング制御される。
【００７８】
一方、図１１は、評価値情報として「難易度」が選択されている場合の制御例である。図１１では、難易度が高い文献ほど大きなフォントサイズとなるようにズーミング制御している。
【００７９】
これにより、ランキングスコアと出版年だけでなく、さらに３番目の指標の評価値も視覚的に容易に把握できるようになる。
【００８０】
なお、評価値の選択はラジオボタンＢに限らず、プルダウンメニュー等の他の手段を利用しても良い。また、２次元表示画面の縦軸、横軸の指標も上記に限らず、例えば、縦軸を人気度にして、ランキングスコアと難易度をズーム制御に関連付ける等、他の組み合わせでも構わない。
【００８１】
このように本実施の形態によれば、コンテンツ全体もしくはオブジェクトに関わる評価値情報が複数ある場合、コンテンツ全体もしくはオブジェクトのズーム表示状態に関連付ける評価値情報を選択可能な評価値種別選択手段であるラジオボタンＢを備えることにより、多数の評価値情報を視覚的に容易に把握することができるようになる。
【図面の簡単な説明】
【００８２】
【図１】本発明の第１の実施の形態にかかるコンテンツ閲覧システムのシステム構築例を示す模式図である。
【図２】一般的又は標準的なパーソナルコンピュータのハードウェアの構成図である。
【図３】コンテンツ閲覧処理にかかる機能構成を示すブロック図である。
【図４】ある検索キーワードを基に図書館内の文献を検索した際における各文献についての各種の評価値情報を示す模式図である。
【図５】検索結果全体に対してズームイン／ズームアウト操作を行った結果を示す模式図である。
【図６】検索結果全体に対してズームイン／ズームアウト操作を行った結果を示す模式図である。
【図７】検索結果全体に対してズームイン／ズームアウト操作を行った結果を示す模式図である。
【図８】検索結果全体に対してズームイン／ズームアウト操作を行った結果を示す模式図である。
【図９】本発明の第２の実施の形態にかかる検索結果一覧画面を示す正面図である。
【図１０】検索結果全体に対してズームイン／ズームアウト操作を行った結果を示す模式図である。
【図１１】検索結果全体に対してズームイン／ズームアウト操作を行った結果を示す模式図である。
【図１２】従来の検索結果全体に対してズームイン／ズームアウト操作を行った結果を示す模式図である。
【符号の説明】
【００８３】
１      コンテンツ閲覧システム
９      表示部
２３    評価値情報格納手段
【図１】
2008027001.tif 000003
【図２】
2008027001.tif 000004
【図３】
2008027001.tif 000005
【図４】
2008027001.tif 000006
【図５】
2008027001.tif 000007
【図６】
2008027001.tif 000008
【図７】
2008027001.tif 000009
【図８】
2008027001.tif 000010
【図９】
2008027001.tif 000011
【図１０】
2008027001.tif 000012
【図１１】
2008027001.tif 000013
【図１２】
2008027001.tif 000014